(57)【要約】  表示されるコンテンツを容易に交換するために、取り付け中に一方の側からアクセス可能なライトフレーム（１０）。フレーム（１０）は透明前面パネル（１１）、フレーム（１２）、後面パネル（１８）及び導光パネル（１５）を含む。使用中、後面パネル（１８）及び導光パネル（１５）は、後部からフレームを介して前面パネルに隣接して表示されるコンテンツへのアクセスを提供するために例えば蝶番又は解放可能接続により前面パネル又はフレームから移動可能である。ショーウィンドウ内に例えばケーブル系（１３）により吊り下げられる際、ライトフレームはコンテンツを交換するために分解する必要無く後側から開かれ得る。
2020524891.tif 000002
【特許請求の範囲】
【請求項１】
透明前面パネル；
前面パネルを表示可能位置に配置するための取り付け手段；
後面パネル；
発光手段；及び
前記前面パネルと前記後面パネルとの間に配置された少なくとも１つの導光パネルであって、その縁において前記発光手段から光を受光するように構成され、前記前面パネルと前記少なくとも１つの導光パネルとの間に配置されたコンテンツを使用中に照射するための少なくとも１つの導光パネルからなるライトフレームにおいて、
使用中、前記後面パネルは前記少なくとも１つの導光パネルへのアクセスを提供するように移動可能であり；
前記少なくとも１つの導光パネルは、前記前面パネルと前記少なくとも１つの導光パネルとの間に配置されたコンテンツへのアクセスを使用中に提供するために前記前面パネルが前記取り付け手段により表示可能位置に配置されている間、前記前面パネル及び／又は前記取り付け手段から移動可能である、ライトフレーム。
【請求項２】
前記後面パネルは前記後面パネルと前記少なくとも１つの導光パネルとの間に配置されたコンテンツが使用中に照明され得るように透明である、請求項１に記載のライトフレーム。
【請求項３】
前記取り付け手段は前記前面パネルを支持するフレームを含む、請求項１又は２に記載のライトフレーム。
【請求項４】
前記前面パネルは前記フレームへ固定される、請求項３に記載のライトフレーム。
【請求項５】
前記少なくとも１つの導光パネルは前記前面パネル又は取り付け手段へ取り付けられる蝶番付け縁により移動可能である、請求項１乃至４のいずれか一項に記載のライトフレーム。
【請求項６】
前記蝶番付け縁は前記発光手段から光を受光する前記縁とは異なる、請求項５に記載のライトフレーム。
【請求項７】
前記蝶番付け縁は１つ又は複数の蝶番部分を含む、請求項５又は６に記載のライトフレーム。
【請求項８】
前記１つ又は複数の蝶番部分は前記少なくとも１つの導光パネルを収容するためのスロットを含む、請求項７に記載のライトフレーム。
【請求項９】
前記蝶番付け縁は、一列に配置された２つの蝶番部分であって前記少なくとも１つの導光パネルの蝶番軸を提供するために協働するように構成され２つの蝶番部分を含む、請求項７又は８に記載のライトフレーム。
【請求項１０】
前記少なくとも１つの導光パネルは、前記前面パネル又は取り付け手段に対して前記少なくとも１つの導光パネルの縁に配置された少なくとも１つの着脱可能接続により移動可能である、請求項１乃至９のいずれか一項に記載のライトフレーム。
【請求項１１】
前記少なくとも１つの着脱可能接続は、クリップ、磁石、締まりばめ、接着性ストリップ、フック及びループパッド又は機能的等価物のうちの単独の１つ又は組み合わせた複数である、請求項１０に記載のライトフレーム。
【請求項１２】
１つ又は複数の着脱可能コーナーピースをさらに含む請求項１０又は１１に記載のライトフレーム。
【請求項１３】
前記１つ又は複数のコーナーピースは前記少なくとも１つの導光パネルを収容するための凹部を含む、請求項１２に記載のライトフレーム。
【請求項１４】
前記１つ又は複数のコーナーピースはさらに、印刷物を収容するためのより大きな内部幅の少なくとも１つの階段状領域又は少なくとも１つの領域を含む、請求項１３に記載のライトフレーム。
【請求項１５】
前記後面パネルは前記前面パネル又は取り付け手段へ取り付けられた蝶番付け縁により前記前面パネルに対して移動可能である、請求項１乃至１４のいずれか一項に記載のライトフレーム。
【請求項１６】
前記後面パネルは少なくとも１つの着脱可能接続により前記前面パネルに対して移動可能である、請求項１乃至１４のいずれか一項に記載のライトフレーム。
【請求項１７】
前記少なくとも１つの着脱可能接続は、螺刻締結部材、クリップ、磁石、締まりばめ、接着性ストリップ、フック及びループパッド又は機能的等価物のうちの単独の１つ又は組み合わせた複数である、請求項１６に記載のライトフレーム。
【請求項１８】
前記取り付け手段は吊り下げ手段を含む、請求項１乃至１７のいずれか一項に記載のライトフレーム。
【請求項１９】
前記吊り下げ手段は前記前面パネルを前記表示可能位置に懸架するための少なくとも１つのケーブルを含む、請求項１８に記載のライトフレーム。
【請求項２０】
前記ケーブルは前記前面パネル又は取り付け手段に結合するための螺刻コネクタを含む、請求項１９に記載のライトフレーム。
【請求項２１】
前記取り付け手段は前記ケーブルを収容するためのチャネルを含む、請求項１９に記載のライトフレーム。
【請求項２２】
前記ケーブルを前記チャネル内に固定する締結部材をさらに含む、請求項２１に記載のライトフレーム。
【請求項２３】
前記少なくとも１つの導光パネルは前記受信光（例えば、内部反射によるなどの）を前記導光パネル上に配置されたコンテンツへ再配向するように構成された改質表面を含む、請求項１乃至２２のいずれか一項に記載のライトフレーム。
【請求項２４】
前記改質表面はエッチングされた表面マトリクスを前記導光パネルの一方の側又は両側に含む、請求項２３に記載のライトフレーム。
【請求項２５】
前記改質表面は前記導光パネルの一方の側又は両側に配置された印刷表面マトリクスを含む、請求項２３又は２４に記載のライトフレーム。
【請求項２６】
前記少なくとも１つの導光パネルは導光パネルアセンブリとして形成される２つ以上のパネルを含む、請求項１乃至２５のいずれか一項に記載のライトフレーム。
【請求項２７】
前記導光パネルアセンブリは前記受信光を前記導光パネルアセンブリ上に配置されたコンテンツへ再配向するように構成された少なくとも１つの改質表面を含む、請求項２６に記載のライトフレーム。
【請求項２８】
前記改質表面は前記導光パネルアセンブリを含む少なくとも１つのパネルの少なくとも一方の側に、エッチングされた表面マトリクスを含む、請求項２７に記載のライトフレーム。
【請求項２９】
前記改質表面は前記導光パネルアセンブリを含む少なくとも１つのパネルの少なくとも一方の側に配置された印刷表面マトリクスを含む、請求項２７又は２８に記載のライトフレーム。
【請求項３０】
前記改質表面はサンドイッチ構成として前記アセンブリを形成する前記２つ以上の導光パネル間に配置される、請求項２６乃至２９のいずれか一項に記載のライトフレーム。
【請求項３１】
アセンブリとして形成される前記２つ以上の導光パネルは前記１つ又は複数の蝶番部分及び／又はコーナーピースにより一緒に支持される、請求項２６乃至３０のいずれか一項に記載のライトフレーム。
【請求項３２】
前記少なくとも１つの導光パネルはコンテンツを収容するための少なくとも１つのほぼ平坦な表面を含む、請求項１乃至３１のいずれか一項に記載のライトフレーム。
【請求項３３】
請求項１乃至３２のいずれか一項に記載のライトフレームにより支持されるポスター又はコンテンツシート。
【発明の詳細な説明】
【技術分野】
【０００１】
本発明は、ライトフレームに関し、特に表示のためのシートグラフィックス／アートワークを収容するのに好適な縁照明型ライトフレーム（ｅｄｇｅ−ｌｉｔ  ｌｉｇｈｔ  ｆｒａｍｅ）に関する。
【背景技術】
【０００２】
ライトボックスとしても知られるライトフレームは、小売り及びサービス産業における広告表示手段として一般的である。ライトフレームは通常、構成要素（例えば外側フレーム又は筐体、透明前面パネル、印刷されたグラフィックス材料又はコンテンツ、光源／光拡散器及び後面パネル）のサンドイッチとして形成される。印刷物上への背面照明が一様であり、その結果魅力的且つ明るい前面景観を生じるように配光の一様性を最適化するように意図された光源を伴う導光パネル（ＬＧＰ：ｌｉｇｈｔ  ｇｕｉｄｅ  ｐａｎｅｌ）を実現することも今日一般的である。
【０００３】
その上にドット／ラインマトリクスが印刷又はエッチングされる平坦面として使用可能なＬＧＰが、Ｐｌｅｘｉｇｌａｓｓ（商標）及びＰｅｒｓｐｅｘ（商標）などの商標名によっても知られるポリ（メタクリル酸メチル）樹脂（すなわちＰＭＭＡ又はアクリル）から形成される。このパネルはその縁において光源（通常はＬＥＤ又は蛍光灯の形式の）へ結合される。表面マトリクスの効果は、縁照明源（ｅｄｇｅ−ｌｉｔ  ｓｏｕｒｃｅ）を再配向して前面及び後面全体にわたって透過することである。光の再配向は例えば受信光の内部反射により実現され得る。
【０００４】
アートワークは通常、日光の下で生き生きとした画像を提供する半透明ポリエステルフィルム又は等価物上に印刷されており、また光源が活性化されると背後から照明され得る。
【０００５】
中央に位置するＬＧＰであって、印刷されたアートワークがそのいずれかの側に取り付けられ、前面及び後面透明パネルを介し押圧されこれらを通して可視であるＬＧＰを特徴とする両面ライトフレーム／ボックスが知られている。両面ライトボックスは単一ＬＧＰ又は背中合わせの２つのＬＧＰを特徴とし得る。
【０００６】
映画館壁取り付け広告からショーウィンドウ製品表示までの範囲の様々なライトボックス設計が使用可能である。特に人気のある用途は、不動産写真及び情報が潜在的買い手の眼をひくために表示される不動産仲介人の窓内の一連のライトフレームディスプレイを特徴とする。このようなディスプレイを窓ガラスに近くに吊るし配置又はクラスタ配置で取り付けることは普通であるため、ディスプレイは外部から容易に可視である。しかし、利用可能ライトボックスにおいて遭遇する問題は、窓近くに配置されるとライトフレームの窓側の印刷物にアクセスして変更するのが困難であるということである。これはしばしば、支持／電力ケーブルの存在と隣接するライトボックスの近接近とにより悪化される。いくつかのケースでは、印刷物を変更するためにライトボックスディスプレイを分解する必要がある。
【０００７】
ライトフレームを定期的に分解及び再構成する（例えば窓ディスプレイにおいて）必要要件はビジネスにとって不都合であり且つ時間がかかる。
【発明の概要】
【発明が解決しようとする課題】
【０００８】
本発明の目的は、上述の不都合のいくつかに対処しそれを克服する若しくは少なくとも改良する、又は有用な代替案を提供するのに少なくともいくらか役に立つライトフレームを提供することである。
【課題を解決するための手段】
【０００９】
広範な態様では、本発明は、透明前面パネルと、後面パネルと、前面パネルと後面パネルとの間の縁照明型導光パネルとからなるライトフレームであって、少なくとも前面パネルと導光パネルとの間に位置するコンテンツを照明するためのライトフレームにおいて、後面パネルそして任意選択的に前面パネルは導光パネルへのアクセスを提供するように開閉可能であり、導光パネルは前面パネルからそのまま移動可能である、ライトフレームを提供する。
【００１０】
好ましい形式では、導光パネルは、コンテンツ（例えば、一枚のアートワーク）が表示のために取り付けられたフレーム内の空所へのアクセスを提供するために開閉可能であるように縁において蝶番付けされる。このような蝶番は、ＬＧＰへ又はＬＧＰ周囲の別個の筐体／フレームへ直接取り付けられ得る。別の形式では、導光パネルは、フレーム筐体に付随する異極性磁気ストリップと結合するための磁石（例えばその縁に沿った磁気ストリップ）により着脱可能である。
【００１１】
一形式では、ライトフレームは、周辺境界を与えるとともに前面及び後面導光パネルを適所に保持するフレームを含む。しかし、代替形式はフレームを前面及び／又は後面パネル内に取り込み得る、例えばパネルは、導光パネルとその関連電気部品とのための筐体を形成する嵌合フランジを含む。
【００１２】
好ましい形式では、後面パネルは追加的に、両面ディスプレイ装置を提供するように透明である。両面ディスプレイの場合、前面パネルは固定され得る（例えばフレームへ）が、後面パネルは着脱可能又は開閉可能であり、その中の移動可能導光パネルへのアクセスを提供する。後面パネルは、フレーム又は前面パネルへ蝶番付けされ得る；代替的に、磁石又はねじ締結部材などのいくつかの他の手段により着脱可能であり得る。
【００１３】
このような構成の利点は、ライトフレームが表示のために（例えばショーウィンドウ内に取り付けられる／吊るすために）適所にある間に、ユーザは後面パネルに隣接するコンテンツへ後側からアクセスし得、同時に、移動可能導光パネルは、前面パネルに隣接するコンテンツへのフレーム（ライトボックス）を介したアクセスを可能にすることである。このようにして、表示されたコンテンツは、ライトボックスの一方の側だけがアクセスのために開かれている間にライトボックスの両側で除去及び置換され得る。実際、これにより、ライトフレームは、印刷物／コンテンツを容易に置換／更新する能力を保持しながら、そしてライトフレームを完全に取り外し分解する必要無しに、窓／恒久ガラス構造に対して近接して配置されたその前面を有することができる。本発明は、有用性を改善し、既知のライトフレーム設計により経験されるグラフィックスを変更する難しさを克服する。
【００１４】
好ましい形式では、フレームは、前面パネルを表示可能位置に懸架するためにそれから吊り下がり延びる手段（例えばライトフレームの両側のケーブルであって、ライトフレームからケーブルへ延びるコネクタを有するケーブル）を含む。代替的に、ケーブルは前面パネル若しくはフレームに結合するための螺刻コネクタを含み得る、又は前面パネル／フレームは、ケーブルを収容するためのその中を貫通するチャネルを特徴とし得、ケーブルをチャネル内に捕捉する締まり嵌め若しくは締結部材により適所に固定される。
【００１５】
別の態様では、
透明前面パネル；
前面パネルを表示可能位置に配置するための取り付け手段；
後面パネル；
発光手段；及び
前面パネルと後面パネルとの間に配置された少なくとも１つの導光パネルであって、その縁において発光手段から光を受光するように構成され、前面パネルと少なくとも１つの導光パネルとの間に配置されたコンテンツを使用中に照射するための少なくとも１つの導光パネルを含むライトフレームが提供され、
使用中、後面パネルは少なくとも１つの導光パネルへのアクセスを提供するように移動可能であり、
少なくとも１つの導光パネルは、前面パネルと少なくとも１つの導光パネルとの間に配置されたコンテンツへのアクセスを使用中に提供するために前面パネルが取り付け手段により表示可能位置に配置されている間、前面パネル及び／又は取り付け手段から移動可能である。
【００１６】
好ましい形式では、後面パネルは後面パネルと少なくとも１つの導光パネルとの間に配置されたコンテンツが使用中に照明され得るように透明である。
【００１７】
好ましい形式では、取り付け手段は前面パネルを支持するフレームを含む。
【００１８】
好ましい形式では、前面パネルはフレームへ固定される。
【００１９】
好ましい形式では、少なくとも１つの導光パネルは前面パネル又は取り付け手段へ取り付けられる蝶番付け縁により移動可能である。
【００２０】
好ましい形式では、蝶番付け縁は発光手段から光を受光する縁とは異なる。
【００２１】
好ましい形式では、蝶番付け縁は１つ又は複数の蝶番部分を含む。
【００２２】
好ましい形式では、１つ又は複数の蝶番部分は少なくとも１つの導光パネルを収容するためのスロットを含む。
【００２３】
好ましい形式では、蝶番付け縁は、一列に配置された２つの蝶番部分であって、少なくとも１つの導光パネルの蝶番軸を提供するために協働するように構成された２つの蝶番部分を含む。
【００２４】
好ましい形式では、少なくとも１つの導光パネルは、前面パネル又は取り付け手段に対して少なくとも１つの導光パネルの縁に配置された少なくとも１つの着脱可能接続により移動可能である。
【００２５】
好ましい形式では、少なくとも１つの着脱可能接続は、クリップ、磁石、締まりばめ、接着性ストリップ、フック、及びループパッド又はその機能的等価物のうちの単独の１つ又は組み合わせた複数である。
【００２６】
好ましい形式では、１つ又は複数の着脱可能コーナーピースが存在する。
【００２７】
好ましい形式では、１つ又は複数のコーナーピースは少なくとも１つの導光パネルを収容するための凹部を含む。
【００２８】
好ましい形式では、１つ又は複数のコーナーピースはさらに、印刷物を収容するためのより大きな内部幅の少なくとも１つの階段状領域又は少なくとも１つの領域を含む。
【００２９】
好ましい形式では、後面パネルは前面パネル又は取り付け手段へ取り付けられた蝶番付け縁により前面パネルに対して移動可能である。
【００３０】
好ましい形式では、後面パネルは少なくとも１つの着脱可能接続により前面パネルに対して移動可能である。
【００３１】
好ましい形式では、少なくとも１つの着脱可能接続は、螺刻締結部材、クリップ、磁石、締まり嵌め、接着性ストリップ、フック、及びループパッド又は機能的等価物のうちの単独の１つ又は組み合わせられた複数である。
【００３２】
好ましい形式では、取り付け手段は吊り下げ手段を含む。
【００３３】
好ましい形式では、吊り下げ手段は前面パネルを表示可能位置に懸架するための少なくとも１つのケーブルを含む。
【００３４】
好ましい形式では、ケーブルは前面パネル又は取り付け手段と結合するための螺刻コネクタを含む。
【００３５】
好ましい形式では、取り付け手段はケーブルを収容するためのチャネルを含む。
【００３６】
好ましい形式では、ケーブルをチャネル内に固定する締結部材が存在し得る。
【００３７】
好ましい形式では、少なくとも１つの導光パネルは受信光（例えば、内部反射によるなどの）を導光パネル上に配置されたコンテンツへ再配向するように構成された改質表面を含む。
【００３８】
好ましい形式では、改質表面はエッチングされた表面マトリクスを導光パネルの一方の側又は両側に含む。
【００３９】
好ましい形式では、改質表面は導光パネルの一方の側又は両側に配置された印刷表面マトリクスを含む。
【００４０】
好ましい形式では、少なくとも１つの導光パネルは導光パネルアセンブリとして形成される２つ以上のパネルを含む。
【００４１】
好ましい形式では、導光パネルアセンブリは、受信光を導光パネルアセンブリ上に配置されたコンテンツへ再配向するように構成された少なくとも１つの改質表面を含む。
【００４２】
好ましい形式では、改質表面は、導光パネルアセンブリを含む少なくとも１つのパネルの少なくとも一方の側に、エッチングされた表面マトリクスを含む。
【００４３】
好ましい形式では、改質表面は、導光パネルアセンブリを含む少なくとも１つのパネルの少なくとも一方の側に配置された印刷表面マトリクスを含む。
【００４４】
好ましい形式では、改質表面はサンドイッチ構成としてアセンブリを形成する２つ以上の導光パネル間に配置される。
【００４５】
好ましい形式では、アセンブリとして形成される２つ以上の導光パネルが１つ又は複数の蝶番部分及び／又はコーナーピースにより一緒に支持される。
【００４６】
好ましい形式では、少なくとも１つの導光パネルはコンテンツを収容するための少なくとも１つのほぼ平坦な表面を含む。
【００４７】
別の態様では、上記態様又は好ましい形式のいずれかにより説明されたライトフレームにより支持されるポスター又はコンテンツシートが提供される。
【００４８】
本発明の文脈では、「移動可能」及び「開閉可能」は交換可能な概念であり、アクセスを与える能力を指す。さらに、本明細書において使用される用語「含む」は「から少なくとも部分的に構成される」を意味する。この用語を含む本明細書内の言明を解釈する際、各言明においてこの用語により前置きされる特徴はすべて存在する必要があるが他の特徴もまた存在し得る。「含む（ｃｏｍｐｒｉｓｅ）」及び「含まれた（ｃｏｍｐｒｉｓｅｄ）」などの関連用語は同じやり方で解釈されるべきである。
【００４９】
用語「前部」は通常、ライトフレームの主表示側（例えば窓に面する側又は視る人のために最も良く配置された側）を指す。用語「後部」は通常、前部の反対側であり、フレームが窓に対し近傍に取り付けられる場合は、窓ガラスから最も遠い側である。「前部」及び「後部」は本発明の前後の関係を与えるが、「第１の」及び「第２の」と交換可能である可能性がある。
【００５０】
本発明について、一例として、以下の添付図面を参照し次に説明する。
【図面の簡単な説明】
【００５１】
【図１】開構成における本発明によるライトフレームの概観を示す。
【図２】図１から組み立てられた又は閉じられたライトフレームの後部立面図と、本発明によるライトフレームに対するケーブル懸架系の第１の実施形態とを示す。
【図３】本発明により実現され得るケーブル懸架系の第２の実施形態を示す。
【図４】本発明により実現され得るケーブル懸架系の第３の実施形態を示す。
【図５】本発明によるライトフレームの前部の概観を示す。
【図６】本発明によるライトフレームの後部の概観を示す。
【図７】本発明により実現され得る蝶番の第１の実施形態を示す。
【図８】本発明により実現され得る蝶番の第１の概観を示す。
【図９】本発明により実現され得る蝶番の第２の概観を示す。
【図１０Ａ】本発明により実現され得る導光パネルの第１の実施形態を示す。
【図１０Ｂ】本発明により実現され得る導光パネルの第１の実施形態を示す。
【図１０Ｃ】本発明により実現され得る導光パネルの第１の実施形態を示す。
【図１１Ａ】本発明により実現され得る導光パネルの第２の実施形態を示す。
【図１１Ｂ】本発明により実現され得る導光パネルの第２の実施形態を示す。
【図１１Ｃ】本発明により実現され得る導光パネルの第２の実施形態を示す。
【図１１Ｄ】本発明により実現され得る導光パネルの第２の実施形態を示す。
【発明を実施するための形態】
【００５２】
図１は本発明の好適な実施形態の概観を示す。ライトボックス又はフレーム１０は支持フレーム１２により縁取られる又はそれへ取り付けられる（すなわち、恒久的に又は着脱可能にいずれかで固定される）前面パネル１１で主として構成され、支持フレーム１２は適切な位置（例えばショーウィンドウ内）に取り付け可能である。図示された形式のフレームは、図２、３及び４によりさらに詳細に示されるケーブル懸架系１３を利用する。
【００５３】
ライトフレームとして働くために、発光手段が、図示された形式では上縁にわたって位置するＬＥＤストリップ１４であるフレーム１２の１つ又は複数の縁に設けられる。
【００５４】
前面パネル１１に対向して置かれたコンテンツへ背面照明を提供するのに好適なＬＥＤストリップ１４からの配光は、当該技術分野で知られる一般型導光パネル１５により改善される。本発明によると、ＬＧＰ１５は前面パネル１１（図示された好ましい形式では、ＬＧＰが前面パネル１１から離れる方向にスイングし得るように一方の縁において蝶番１６により具現化される）からそのまま移動可能である。蝶番１６により、ＬＧＰ１５は通常、前面パネル１１に対向して位置するアートワークコンテンツを交換する際の利便性を改善するためにフレーム１２の全体構造へ取り付けられたままであり得る。好適には、ＬＧＰ１５は、ＬＥＤストリップ１４の位置とは異なる縁においてフレーム１２へ蝶番付けされ、ＬＧＰが閉位置にある場合に露出縁１７をＬＥＤストリップ１４と自由に位置合わせできるようにする。有効であるために、ＬＧＰとＬＥＤストリップのそれぞれの縁との位置合わせは正確である必要はないが、この蝶番配置は比較的高い精度でＬＧＰ１５を所定位置へ移動することが好ましい。ＬＧＰ１５は、図示のようにフレーム１２／前面パネル１１へ直接蝶番付けされてもよいし、蝶番付け縁によりフレーム／パネルへ取り付けられた別個のフレーム内に取り付けられてもよい。
【００５５】
図示された形式では、ＬＥＤストリップ１４はフレーム１２の上縁内に設置されるが、代替実施形態は、ＬＥＤストリップ１４をＬＧＰ１５又は別個の周囲フレームへ直接設置することを選択し得る。どのシステムを使用すべきかの優先順位は当業者に明らかになる。
【００５６】
ライトフレーム１０はさらに、フレーム１９により囲まれてもよい後面パネル１８を含む。使用中、後面パネル１８は、その主前面／後面から両外方向に光を透過するため、透明であり、ＬＧＰ１５の後側に対向して置かれたコンテンツの第２の可視面を提供し得る。したがって、本発明の図示された形式は両面ライトフレームである。
【００５７】
ＬＧＰ１５のように、後面パネル１８は、図１により示唆される（可視ではないが）蝶番配置により、又は代替的に後面パネル１８／１９がねじ固定具、磁石又は他の好適な締結部材により除去される場合に完全に分離可能であるおかげで、のいずれかで前面パネル１１に対して開閉可能である。
【００５８】
開閉可能後面パネルは第１に、その中に表示コンテンツが取り付けられ（例えばパネル１８の内面とＬＧＰ１５の面との間に前記コンテンツを挟むことにより）、ライトフレームの後側から可視であり得るパネル１８の背後の後部２０へのアクセスを可能にする。第２に、後面パネルを開くことで、ディスプレイ材料が取り付けられる（例えば、パネル１１の内面とＬＧＰ１５の面との間に挟まれる）前面パネル１１の背後の前部２１へのアクセスを提供するために、蝶番１６を介しそれ自体が開かれる又はそうでなければ着脱可能であるＬＧＰ１５へのアクセスをユーザに与える。その期間中、フレーム１２及び前面パネル１１は適所に留まり（例えばケーブル懸架系１３により）、したがって、ユーザは、完全分解の必要無くコンテンツをライトフレーム１０の両側から容易に除去及び置換／更新するために前部２０と後部２１との両方へのアクセスを得ることができる。コンテンツを取り付けるための部分２０／２１のギャップ／空間は、シート材料を収容及び挟むために非常に薄くてもよいし、より厚い物品を収容するための深さを有してもよい。材料の性質に依存して前面パネルと後面パネルとにそれぞれ対向して表示コンテンツを保持するための別の取り付け選択肢が提供され得る。
【００５９】
図１の実施形態は、ほぼ等価な結果を実現するために代替解決策が採用される可能性があるということが明らかになるが、ＬＧＰ１５及び後面パネル／フレーム１８／１９の蝶番配置によりすべての部品を互いに接続された状態に保つ。例えば、磁気ストリップはＬＧＰ１５又は後部フレーム１９のいずれか又は両方の縁周囲に設けられ得、これらの部品の、前面パネル１１又はフレーム１２上の対応する縁／位置上の磁気ストリップ又は金属部分からの一時的除去を可能にする。
【００６０】
図２、３及び４は、ケーブル懸架系１３の代替例を示す。例えば、図２は、懸架ワイヤ２３がライトフレームの両側に位置し、一対のコネクタ取り付け具２７がフレームのそれぞれの側に位置するとともに、好適な締結部材／クランプ配置２６を使用することによりワイヤ２３へ接続される解決策を示す。コネクタ２７はライトフレームの長辺又は短辺のいずれかへ嵌め込まれる可能性があり、フレームが景色（映画）形式とポートレート形式との両方で表示されることを可能にするだろう。
【００６１】
図３は、ケーブル／ワイヤ２３のねじ／ボルト嵌合端２２がフレーム１２の一方の側に付随する螺刻ソケット２４に挿入可能である解決策を示す。好適には、ねじ／ボルト嵌合端２２は、ワイヤ２３に対して自由に回転可能であるため、ねじ端部の螺合中にワイヤをねじらない。少なくとも２つの（しかし好適には８つの）このようなソケット配置２４（フレーム１２の各側に２つ）がライトフレーム１０を懸架するために必要だろう、そして、さらに、懸架ケーブル２３の反対端は、複数のライトフレーム１０が垂直方向配置で一列に配置されることを可能にするためにねじ嵌合２２を含み得る。ライトフレーム１０の長辺と短辺との両方に位置するねじ嵌合２４は、ライトフレーム１０が景色形式とポートレート形式との両方において表示されることを可能にするだろう。ライトフレーム１０から延びる嵌合端２２を有する最外部懸架ワイヤ２３は、１つ又は複数のライトフレームの配置全体を懸架するために壁、天井、床、窓フレーム、又は取り付け位置などへ取り付けられることになる。
【００６２】
ＬＥＤストリップ１４及び関連エレクトロニクス（図示せず）のコンセント電源接続部は、離散的やり方で給電するためにケーブル懸架系１３内に構築され得る。代替的に、光源は電池式であり定期的再充電を必要とする可能性がある。
【００６３】
図４は、後面パネル１８がそれぞれのフレーム１２、１９により前面パネル１１へ蝶番付けされる開構成で示される代替実施形態を示す。懸架ワイヤ２３は、前部フレーム１２の縁部分までずっと延びるチャネル２５内へ螺合される又は導かれる。ライトフレームが適所に懸架されるように、締まり嵌め又は好適な締結部材／クランプ配置２６がワイヤ２３を適所に保持するために利用され得る。
【００６４】
図３の上記例と同様に、複数のライトフレーム１０が垂直方向配置で一列に配置される可能性がある。同様に、電気的接続が、離散的電力をＬＥＤストリップ１４及び関連エレクトロニクスへ供給するために懸架系内に取り込まれ得る。追加チャネル２５及び図示されたものに対し垂直に位置する締まり嵌め／締結部材／クランプ２６は、ライトフレームが景色（映画）形式とポートレート形式との両方で表示されることを可能にするだろう。
【００６５】
図５は、前面パネルが除去された本発明の一実施形態の正面図を示す。この実施形態では、フレーム１２は、フレーム１２を強化するための任意選択的中空部及び筋違２９を伴って示される。筋違２９はまた、例えば接着テープを使用することにより前面パネルを取り付けるための表面領域を与える。
【００６６】
ＬＥＤストリップ１４は、フレーム１２の両方の長辺縁上に示されており、電源への外部接続が可能な電気的コンタクト３０へ接続される。ＬＥＤストリップ１４もまた側面及び／又は背面照明をＬＧＰ１５へ提供するために、フレーム１２の短辺縁の一方又は両方上に又は配光の任意の他の適切な位置に配置される可能性があるということが明らかになる。上に概説したように、ＬＥＤストリップ１４もまたフレーム１２内に若しくはその上に、又はライトボックス１０内の若しくはその上の他のどこかに配置される内蔵型電源（例えば電池）へ接続される可能性があるということが明らかになる。ＬＥＤストリップ１４及びＬＧＰ１５の露出縁１７は、ＬＧＰ１５が閉位置にある場合に、ＬＧＰ１５とＬＧＰ１５上に配置される任意の印刷物又はコンテンツとを照明するために位置合わせされるように構成される。
【００６７】
ＬＧＰ１５は、蝶番１６及びコーナーピース３１へ接続されて示されており、したがってコーナーピース３１がＬＧＰ１５の反対方向の角を支持する一方で、ＬＧＰ１５が蝶番１６を中心として回転可能に蝶番動作することを可能にする。コーナーピース３１は、フレーム１２内への定位及び／又はロック機構を提供してもよく、ＬＧＰ１５が閉位置にあると固定されてＬＥＤストリップ１４へ位置合わせされるということを保証してもよい。
【００６８】
図６は、後面パネルが除去された本発明の一実施形態の背面図を示す。蝶番１６の後部及びコーナーピース３１は、図５に関して上に説明したようにＬＧＰ１５の角を支持及び定位して示される。印刷物３２は、ＬＧＰ１５へ取り付けられて示されており、ＬＧＰ１５の露出縁１７を照明するＬＥＤストリップ１４を介し照明され得る。
【００６９】
図６の例示的実施形態では、フレーム１２は全周の回りに配置された磁石２８を有して示される。磁石２８は後面パネルを取り付けるために使用され得るが、代替実施形態では、後面パネルは、一方の側に沿った蝶番と組み合わせて磁石により又は任意の他の好適な取り付け手段により取り付けられ得る。
【００７０】
図７〜９は、図５及び６に示された蝶番１６の例示的実施形態を示す。
【００７１】
図７は、ＬＧＰ１５へ取り付けられ、ＬＧＰ１５及び印刷物３２をフレーム１２内へ定位する蝶番１６の一実施形態を示す。例示的実施形態では、蝶番１６は、ＬＧＰ１５の露出縁１７を支持するために支持壁又は保持壁部３３を提供するように整形される。蝶番１６はスロット（図８及び９のスロット３４）を介しＬＧＰ１５を受け入れ、支持壁部３３はＬＧＰ１５の角及び／又は縁を支持するように構成される。
【００７２】
好ましい実施形態では、蝶番穴又は開口（図８及び９の蝶番穴又は開口３５）が一方の側又は両側の蝶番１６内に設けられ、対応するＬＧＰ穴又は開口がＬＧＰ１５の角に設けられる（図示せず）。これらの穴又は開口はＬＧＰ１５を蝶番１６内へ固定する（ｓｅｃｕｒｅ  ａｎｄ  ｆｉｘ）リベット又は雌雄ボルトなどの締結部材３６を収容するように配置される。任意の代替締結手段（例えば接着性又は接着テープ）がＬＧＰ１５を蝶番１６へ、恒久的に又は着脱可能のいずれかで固定するために設けられ得るということが理解される。
【００７３】
好ましい実施形態では、蝶番１６は、蝶番１６をフレーム１２へ固定するボルト３７などの締結部材及びナット３８を含む。フレーム１２は、フレーム穴又は開口３９及び凹部４０を介してボルトなどの前記締結部材及びナットを収容するように構成される。蝶番１６は対応する貫通穴又は開口（図８及び９の貫通穴又は開口４１）を含み、蝶番１６は締結部材（ボルトなどの）３７を中心として蝶番動作するように構成される。代替実施形態では、締結部材（ボルトなど）３７及びナット３８は、摩擦嵌合蝶番ピン又は別の好適な着脱可能若しくは着脱不能締結部材又は蝶番機構により置換される可能性がある。
【００７４】
図５に関して上に説明したように、好適な実施形態では、２つの異なるコーナーピースがＬＧＰ１５を定位及び蝶番付けするために設けられる。１つは蝶番１６であり、第２のものは蝶番無しコーナーピース３１である。コーナーピース３１はまた、図７〜９の蝶番１６との関連で説明するような支持壁部３３、スロット３４、蝶番穴又は開口３５、及び締結部材３６を含み得る。
【００７５】
一実施形態では、蝶番１６及びコーナーピース３１は、印刷物３２又はコンテンツをＬＧＰ１５のアクリルシート又はパネルの外部上の適所に保持するための凹部４２を含む。蝶番１６及びコーナーピース３１は印刷物３２又はコンテンツ（例えばポスター）をＬＧＰ１５上の正しい位置に保持するように整形され、印刷物３２又はコンテンツがＬＧＰ１５の露出縁１７を介しＬＥＤ１４により十分に且つ一様に照明されることを可能にする。凹部４２は、支持壁部３３及び締結部材３６を介したＬＧＰ１５への支持を依然とし提供する一方で、印刷物３２の角を収容するように寸法決め及び整形される。これは、印刷物３２などのコンテンツが蝶番１６の除去無しに容易に置換されることを可能にする。蝶番１６は、前側と後側との両方の上に凹部４２を含み得、コンテンツがＬＧＰ１５の前部及び後部上に配置されることを可能にする。
【００７６】
図８及び９は、図５〜７の蝶番１６の代替図を示す。
【００７７】
図８は、蝶番１６の例示的実施形態の正面図を示し、スロット３４と共に締結部材（図７の締結部材３６など）を受け入れる蝶番穴又は開口３５と、ＬＧＰ１５を受け入れ支持する支持壁部３３とを示す。図８の矢印は、どのように蝶番１６がフレーム１２へ受け入れられるかを示す。図８はまた、蝶番１６をフレーム穴又は開口３９を介し、そして貫通穴又は開口４１を通ってフレーム１２内に固定するためのボルト３７などの締結部材とナット３８とを示す。
【００７８】
図９は、蝶番１６の例示的実施形態の景観を示し、締結部材（図７の締結部材３６など）を受け入れる蝶番穴又は開口３５と、スロット３４と、ＬＧＰ１５を支持し固定する支持壁部３３とを示す。貫通穴又は開口４１が、蝶番１６をフレーム１２へ固定するためのボルトなど（図７及び８のボルト３７など）の締結部材を受け入れるための蝶番１６のベースに示される。
【００７９】
一実施形態では、ＬＧＰ１５は、ＬＧＰアセンブリであり、２枚以上のアクリル素材のシート又は２つ以上の導光パネル１５をサンドイッチ型アセンブリ内に含む。照明を前記アセンブリの外側に配置された印刷物へ提供するために、光がその中を透過可能な任意の他の好適な媒体がＬＧＰ１５又はＬＧＰアセンブリ１５を形成する可能性があるということが理解される。ＬＧＰアセンブリ１５は２つ以上又は複数の導光パネル、アクリルシート又は任意の他の好適な光透過率媒体から形成される可能性がある。
【００８０】
図１０Ａ、１０Ｂ及び１０Ｃ並びに図１１Ａ、１１Ｂ、１１Ｃ及び１１Ｄは、少なくとも１つの改質表面を有するＬＧＰ１５の例示的実施形態を示す。
【００８１】
図１０Ａは、一表面上に形成されたエッチングされた表面マトリクス４３を有する導光パネル１５の例示的実施形態を示す。エッチングされた表面４３は、コンテンツを収容するように構成され得るほぼ平坦な表面４４の反対側に形成され得る。エッチングされた表面マトリクス４３は、図１０Ａ、１０Ｂ及び１０ＣのＬＧＰ１５の一方の側又は両側の印刷表面マトリクスにより置換される可能性があるということが理解されることになる。エッチング又は印刷された表面マトリクス４３は、コンテンツを照明するために、露出縁１７を介した照明からの光をＬＧＰ１５の一方の表面又は両方の表面に（例えばほぼ平坦な表面４４上に）配置された前記コンテンツへ再配向する（例えば内部反射により）ように作用する。エッチングされた表面マトリクス４３は、光を側面照明から表面照明へ再配向するためのドット、ライン又は任意の他の好適なパターン若しくは表面改質で形成される可能性がある。
【００８２】
照明対象コンテンツ（印刷物３２など）がＬＧＰ１５のエッチング又は印刷された表面マトリクス（例えば図１０Ａ及び１０Ｂ、１０Ｃに説明したエッチングされた表面４３など）に対向して置かれれば、マトリクスのドット、ライン又はパターンは照明されたコンテンツを介し可視であり得るということが分かった。
【００８３】
したがって、コンテンツを表面マトリクス４３に対しＬＧＰ１５の反対側４４に置くことが好ましい場合がある。代替的に、コンテンツを収容するためのほぼ平坦な表面を提供するために、第２のシート（例えばアクリルシート）又は薄い半透明材料がエッチングされた表面４３上に配置される可能性がある。これは図１０Ｂ及び１０Ｃに示される。
【００８４】
好ましい実施形態では、ツーピースＬＧＰ１５が、ＬＧＰ１５の前部及び／又は後部上に配置されたコンテンツから表面マトリクスを分離するように構成され、図１０Ｃに示すように照明対象コンテンツを収容するためのほぼ平坦な表面４４をＬＧＰ１５のいずれかの側に提供する。
【００８５】
例示的実施形態では、ツーピースＬＧＰ１５は、２つの光透過可能材料（例えば透明な（Ｔｒａｎｃｅｐａｒｅｎｔ  ｏｒ  ｃｌｅａｒ）タイプのアクリル樹脂など）のシート又はパネルを含み、シート又はパネルのうちの少なくとも１つは一方の側に表面マトリクス４３を含む。
【００８６】
表面マトリクスはＬＧＰ１５を形成するために２つのシート又はパネルの間に挟まれ得、ＬＧＰ１５の前部と後部との両方の上に配置されたコンテンツが表面マトリクス４３のパターンから離間されることになる。一方又は両方のシート又はパネル（アクリルシート又はパネルなど）は、２つのシート又はパネル間に挟まれた印刷又はエッチングされた表面マトリクス４３を含む、又はシート又はパネルのうちの１つは比較的薄い又はより薄い半透明材料又は光透過タイプ材料により置換される可能性がある。
【００８７】
代替的に、図１１Ａ、Ｂ、Ｃ及びＤに示すように、表面マトリクス４３は、ＬＧＰ１５を形成するために別のシート又はパネルに隣接するように配置された別個の光再配向シート又はパネルであり得る。図１１Ａ及び１１Ｂの例示的実施形態では、コンテンツはＬＧＰ１５のいずれかの側に配置される可能性があるが、好適には、ほぼ平坦な表面４４上に存在し得る。
【００８８】
図１１Ｃ及び１１Ｄは、照明対象コンテンツを置くためのＬＧＰ１５の両側にほぼ平坦な表面４４を提供する、表面マトリクス４３上に配置された追加のシート若しくはパネル又は薄い若しくは比較的薄い半透明材料を示す。
【００８９】
図５〜９において説明した蝶番１６及びコーナーピース３１は追加的に、上述のＬＧＰアセンブリ１５を形成するために２つ以上のパネル又はシートを保持するように作用し得る。この構成又は開示される任意の他の構成では、ＬＧＰ１５は、蝶番１６を中心に回転され、蝶番無しコーナーピース３１と適所でロックされ得る。
【００９０】
添付の特許請求の範囲により規定される本発明の範囲に依然として入る一般的構築に対する多くの修正が可能であり得るということが明らかになる。例えば、前面パネル１１はその周囲フレーム１２とは別個の部品及び材料の形式のものである可能性が非常に高いが、これらの部品は単一金型へ組み込まれる可能性がある。同様に、後面パネル１８及びそのフレーム１９は選択される製造技術に依存して別個の又は一体化された部品であり得る。懸架系１３は単に一例として提供され、フレームを表示のための窓空間又は同様な領域内に嵌め込むための複数の選択肢が存在する。
【００９１】
本発明を構築するために使用される材料及び製造方法は当業者の能力範囲内である。しかし、将来の材料が、本明細書で説明されたこれらの例の任意の材料と置換され得ることが可能である。例えば、本技術は導光パネルの好ましい材料としてＰｅｒｓｐｅｘ（商標）などを推奨するが、代替材料又は処理がこの好みに取って代わり得る。
【図１】
2020524891.tif 000003
【図２】
2020524891.tif 000004
【図３】
2020524891.tif 000005
【図４】
2020524891.tif 000006
【図５】
2020524891.tif 000007
【図６】
2020524891.tif 000008
【図７】
2020524891.tif 000009
【図８】
2020524891.tif 000010
【図９】
2020524891.tif 000011
【図１０Ａ】
2020524891.tif 000012
【図１０Ｂ】
2020524891.tif 000013
【図１０Ｃ】
2020524891.tif 000014
【図１１Ａ】
2020524891.tif 000015
【図１１Ｂ】
2020524891.tif 000016
【図１１Ｃ】
2020524891.tif 000017
【図１１Ｄ】
2020524891.tif 000018
【国際調査報告】
2020524891.tif 000019
2020524891.tif 000020
2020524891.tif 000021